(57)【要約】      （修正有）【課題】釣人が安定して握りやすい釣竿用グリップ装置及び釣竿を提供する。【解決手段】リールシートと、グリップ６とを有し、リールシートは、ロッドを装着するためのロッド装着部７と、リール３を装着するためのリールシート本体８ａと、グリップを装着するためのグリップ装着部９とを有し、グリップ装着部は、リールシート本体に設けられて、グリップを枢動可能に保持する円筒部と、円筒部に外嵌されて外周面の軸方向長さが周方向に沿って異なる２つのリング１９、２０とからなり、リングの回転方向位置とリールシート本体に対するグリップの傾きとが対応し、グリップの傾きが調整可能であり、リングの外周面にグリップの傾斜角度を示す目盛りを備える。【選択図】図２
0003230440.tif 000002
【実用新案登録請求の範囲】
【請求項１】
リールシートと、グリップとを有し、
前記リールシートは、ロッドを装着するためのロッド装着部と、リールを装着するためのリールシート本体と、前記グリップを装着するためのグリップ装着部とを有し、
前記グリップ装着部は、前記リールシート本体に設けられており前記グリップを枢動可能に保持する円筒部と、前記円筒部に外嵌されており外周面の軸方向長さが周方向に沿って異なる２つのリングとからなり、
前記リングの回転方向位置と前記リールシート本体に対する前記グリップの傾きとが対応しており、前記グリップの傾きが調整可能であり、
前記リングの外周面に前記グリップの傾斜角度を示す目盛りを備えていることを特徴とする釣竿用グリップ装置。
【請求項２】
前記グリップ装着部は、前記円筒部に枢動可能に保持されたネジを有し、
前記グリップは前記ネジと螺合可能であり、
２つの前記リングのうち前記グリップ側のリングは前記円筒部に枢動可能に外嵌しており、
前記リングを回転させることにより前記グリップ側のリング、前記ネジ及び前記グリップが枢動して前記リールシート本体に対する前記グリップの傾きを調整可能であることを特徴とする請求項１に記載の釣竿用グリップ装置。
【請求項３】
前記リールシート本体の前記円筒部近傍に前記グリップの傾斜方向を示す目盛りを備えていることを特徴とする請求項１又は請求項２に記載の釣竿用グリップ装置。
【請求項４】
前記リールシート本体は、前記ロッドの軸方向に沿ってスライド可能に備えられたトリガーと、前記トリガーの位置を拘束する拘束手段とを備えていることを特徴とする請求項１から請求項３のいずれか一項に記載の釣竿用グリップ装置。
【請求項５】
前記リールシート本体は、前記トリガーの位置を示す目盛りを備えていることを特徴とする請求項４に記載の釣竿用グリップ装置。
【請求項６】
請求項１から請求項５のいずれか一項に記載の釣竿用グリップ装置を備えたことを特徴とする釣竿。
【考案の詳細な説明】
【技術分野】
【０００１】
本考案は、釣竿用グリップ装置及び釣竿に関する。
【背景技術】
【０００２】
従来、ルアーフィッシング用の釣竿としてロッド、リール、リールシート及びグリップからなるものが知られている（例えば、特許文献１を参照。）。
【先行技術文献】
【特許文献】
【０００３】
【特許文献１】特開２０１１−１３５８１５号公報
【考案の概要】
【考案が解決しようとする課題】
【０００４】
釣人の手の大きさ、指の長さ、利き手、グリップの握り方のクセ等には個人差がある。また、リールシートに搭載するリールの寸法によってもグリップの握り方には差異が生じる。このため、上述のような従来の釣竿を使用する釣人の中には、グリップを握りにくいと感じる人が生じてしまうという問題があった。
【０００５】
そこで本考案は上記問題点に鑑みてなされたものであり、釣人が安定して握りやすい釣竿用グリップ装置及び釣竿を提供することを目的とする。
【課題を解決するための手段】
【０００６】
上記課題を解決するために本考案は、
リールシートと、グリップとを有し、
前記リールシートは、ロッドを装着するためのロッド装着部と、リールを装着するためのリールシート本体と、前記グリップを装着するためのグリップ装着部とを有し、
前記グリップ装着部は、前記リールシート本体に設けられており前記グリップを枢動可能に保持する円筒部と、前記円筒部に外嵌されており外周面の軸方向長さが周方向に沿って異なる２つのリングとからなり、
前記リングの回転方向位置と前記リールシート本体に対する前記グリップの傾きとが対応しており、前記グリップの傾きが調整可能であり、
前記リングの外周面に前記グリップの傾斜角度を示す目盛りを備えていることを特徴とする釣竿用グリップ装置を提供する。
【０００７】
また本考案は、
上記釣竿用グリップ装置を備えたことを特徴とする釣竿を提供する。
【考案の効果】
【０００８】
本考案によれば、釣人が安定して握りやすい釣竿用グリップ装置及び釣竿を提供することができる。
【図面の簡単な説明】
【０００９】
【図１】図１は本考案の実施形態に係る釣竿の構成を示す図である。
【図２】図２（ａ）〜図２（ｃ）は本考案の実施形態に係る釣竿におけるグリップ装置の構成を示す側面図、上面図及び背面図である。
【図３】図３（ａ）は本考案の実施形態におけるグリップ装着部及びグリップの構成を示す図２（ａ）の部分拡大断面図であり、図３（ｂ）は図３（ａ）においてグリップの傾きを調整した様子を示す図である。
【図４】図４（ａ）及び図４（ｂ）は本考案の実施形態におけるグリップ装着部の前側リング、後側リング及びリールシート本体の後方側端部の構成を示す上面図及び背面図である。
【図５】図５は本考案の実施形態におけるリール装着部のトリガーの構成を示す図２（ｃ）の部分拡大図である。
【考案を実施するための形態】
【００１０】
本考案の実施形態に係る釣竿を添付図面に基づいて説明する。
図１に示すように釣竿１は、ベイト用の釣竿であって、ロッド２と、リール３と、グリップ装置４とを有してなる。
グリップ装置４は、図２（ａ）〜図２（ｃ）に示すように、リール３を装着するためのリールシート５と、釣人（釣竿の使用者）が手で握るためのグリップ６とからなる。
【００１１】
リールシート５は、軽く頑丈な素材からなり（例えばアルミ製、ポリマー樹脂製等）、前方即ち図２（ａ）左方から順に、ロッド２を装着するためのロッド装着部７と、リール３を装着するためのリール装着部８と、グリップ６を装着するためのグリップ装着部９とからなる。
【００１２】
ロッド装着部７は、公知の構成のものであり、ロッド２に外嵌する不図示の嵌合部と、該嵌合部の外周面に螺合した筒状部１１とからなる。筒状部１１を回転させることで嵌合部が締め付けられ、これによって嵌合部はロッド２をしっかりと挟持することができる。
【００１３】
リール装着部８は、リールシート本体８ａと、リールシート本体８ａの下側に備えられたトリガー１６とからなる。
リールシート本体８ａは、図２（ａ）に示すように側方から見て底の浅いＵ字形状をしており、リール３のフット１２を収納するための溝部１３が形成されている。なお、リールシート本体８ａの形状はこれに限られず、例えば側方から見て逆Ｌ字形状等としてもよい。溝部１３は、図２（ｂ）に示すように上方から見て前後方向即ち図２（ｂ）左右方向へ延びており、溝部１３の後方端部にはフット１２の先端を挿入するための横溝１３ａが形成されている。リールシート本体８ａにおいて溝部１３の前方には、フット１２の他端を溝部１３の溝底へ押し付けて固定するための爪部１４が揺動可能に備えられている。爪部１４によるフット１２の固定はリールシート本体８ａ下側に備えられたネジ１５を緩めることにより解除可能である。なお、フット１２の図２（ｂ）上下方向位置は溝部１３の側壁１３ｂ、１３ｂによって固定される。
トリガー１６は、グリップ６を握った釣人が指を掛けるためのものであり、後に詳述する。
【００１４】
グリップ装着部９は、図３（ａ）に示すように、リールシート本体８ａの後方側端部２６に一体的に備えられた円筒部１７と、円筒部１７内に収納されたネジ１８と、円筒部１７に外嵌した前側リング１９及び後側リング２０とからなる。
【００１５】
円筒部１７は、前後方向へ延びた円筒形状をしている。円筒部１７の内周面は、後方端部において径方向内側へ延びて段差部１７ａを形成し、最後方端部において径方向外側へ緩やかに延びて傾斜部１７ｂを形成している。円筒部１７の外周面の後方端部は面取り加工がなされていて略半球形状になっている。
【００１６】
ネジ１８は、円筒部１７における段差部１７ａの内径よりも外径の大きな略球状の頭部１８ａと、段差部１７ａの内径よりも十分に外径の小さな軸部１８ｂとからなる。ネジ１８の頭部１８ａは円筒部１７内に収納され、軸部１８ｂは円筒部１７から後方へ向かって突出している。この構成によりネジ１８は円筒部１７によって枢動自在に保持され、軸部１８ｂの突出方向を自在に変更することができる。ここで、枢動自在とはネジ１８が回転可能かつ所定範囲で角度及び方向自在に傾斜可能な状態をいう。なお、前述のように円筒部１７に傾斜部１７ｂを設けたことにより、軸部１８ｂの突出方向の変更範囲をより大きくすることができる。また、円筒部１７の外周面には軸方向へ延びる小さな不図示の突条が形成されている。
【００１７】
前側リング１９と後側リング２０は、１つの円筒部材を外周面側から斜めに切断して２つにしたものである。即ち、前側リング１９と後側リング２０は、外周面の軸方向長さが周方向に沿って連続的に異なる円環部材となっている。具体的には、本実施形態における前側リング１９と後側リング２０は１つの円筒部材を水平から７．５度斜めに切断してなる。
【００１８】
後側リング２０の後方端部には外周面よりも小径の略椀状部２０ａが一体的に形成されており、後側リング２０の内周面は後方へ向かうにしたがって内径が小さくなるすり鉢状に加工されている。なお、略椀状部２０ａの底面の貫通穴の内径はネジ１８の軸部１８ｂの外径よりわずかに大きい。斯かるすり鉢状の後側リング２０が先に述べた略半球状の円筒部１７に嵌合することにより、後側リング２０は円筒部１７に対して回転自在かつ枢動自在となる。
【００１９】
前側リング１９の内周面には、軸方向へ延びる複数の小さな溝（不図示）が全周にわたって形成されている。この構成により、前側リング１９を円筒部１７に外嵌した際に前側リング１９の溝に円筒部１７の前述した突条が噛み合い、前側リング１９の回転方向位置を円筒部１７に対して固定可能になっている。
【００２０】
グリップ６は、木製の円柱部材からなり、前方先端部分には軸方向へ延びるネジ穴６ａが設けられており、グリップ装着部９のネジ１８と螺合可能になっている。なお、グリップ６は木製に限られず、例えばＥＶＡ（Ethylene-Vinyl Acetate）樹脂製等としてもよい。
【００２１】
以上の構成の下、グリップ装着部９のネジ１８をグリップ６のネジ穴６ａに螺合させることにより、グリップ６をグリップ装着部９に対して装着することができる。このとき、ネジ１８とネジ穴６ａとの螺合を緩めることで、前側リング１９及び後側リング２０を回転させることが可能になる。前側リング１９の回転方向位置を固定して後側リング２０を回転させると、前側リング１９と後側リング２０との外周面の軸方向長さの違いにより、前側リング１９の中心軸に対して後側リング２０の中心軸が傾斜する。詳しくは、後側リング２０が円筒部１７に対して回転しながら枢動し、後側リング２０の略椀状部２０ａの貫通穴に挿通されているネジ１８の軸部１８ｂも後側リング２０とともに枢動して軸部１８ｂの突出方向が変更される。これにより、グリップ６の傾き、詳細には円筒部１７の中心軸に対してグリップ６の中心軸の傾斜角度及び傾斜方向を調整することができる。そして、前側リング１９と後側リング２０を一体的に回転させることにより、円筒部１７の中心軸に対してグリップ６の中心軸の傾斜方向を調整することができる。このようにしてグリップ６の傾斜角度及び傾斜方向を調整し、ネジ１８とネジ穴６ａとの螺合を再度締めることにより、使用者は自分の手の大きさ、指の長さ、利き手、グリップ６の握り方のクセ、リール３の寸法によるグリップの握り方等に応じた安定して握りやすいグリップ６を得ることができる（図３（ｂ）を参照）。
【００２２】
グリップ装置４において、前側リング１９、後側リング２０の回転方向位置とリールシート本体８ａに対するグリップ６の傾きとは対応しており、グリップ６の傾きが調整可能であるため、図４（ａ）及び図４（ｂ）に示すように、前側リング１９の外周面には、前側リング１９に対して後側リング２０を回転させる際に基準となる目盛り１９ａが周方向に沿って設けられている。そして、後側リング２０の外周面には、前側リング１９に対する後側リング２０の回転量を示す目盛り２０ａが周方向に沿って設けられている。これにより使用者は、グリップ６の傾き（傾斜方向及び傾斜角度）を調整した後、目盛り１９ａ、２０ａから前側リング１９と後側リング２０の回転量を記憶しておくことができ、自分に好適なグリップ６の傾きをいつでも簡単かつ迅速に再現することが可能となる。なお、図４（ａ）及び図４（ｂ）に示すように、円筒部１７が一体的に形成されたリールシート本体８ａの後方側端部２６にも目盛り２６ａを周方向に沿って設けることにより、自分に好適なグリップ６の傾きをいつでもより簡単かつより迅速に再現することが可能となる。
【００２３】
本実施形態では、具体的には前側リング１９及び後側リング２０には、目盛り１９ａ、２０ａとしてスケールとともにグリップ６の傾斜角度を示す「０」、「７．５」、「１０」、「１２．５」、「１５」の数字がそれぞれ刻印されている。これらの数字は、前側リング１９に対して後側リング２０を回転させて同じ数字の目盛り同士を合わせた際に、前側リング１９の中心軸に対して後側リング２０の中心軸が０度、７．５度、１０度、１２．５度及び１５度傾斜する位置に設定されている。したがって、例えば前側リング１９の「１５」の目盛りに対して後側リング２０の「１５」の目盛りを合わせることにより、グリップ６を１５度傾けることができる。さらに、この状態で前側リング１９と後側リング２０を一体的に回転することにより、グリップ６の傾斜方向を調整することができる。これにより使用者は、所望の方向へ１５度傾斜させたグリップ６を得ることができる。
【００２４】
また本実施形態では、具体的にはリールシート本体８ａの後方側端部２６には目盛り２６ａとしてスケールとともにグリップ６の傾斜方向を示す「０」、「Ｒ１」、「Ｒ２」、「Ｌ１」、「Ｌ２」の数字又は文字が刻印されている。「Ｒ１」、「Ｒ２」は上方から見てグリップ６の傾斜方向が右側、「Ｌ１」、「Ｌ２」は上方から見てグリップ６の傾斜方向が左側を示している。したがって、例えば後方側端部２６の「０」の目盛りに対して前側リング１９の「１５」の目盛りを合わせ、さらに前側リング１９の「１５」の目盛りに対して後側リング２０の「１５」の目盛りを合わせることにより、側方から見てグリップ６を下方へ１５度傾けることができる。そして、この状態において前側リング１９と後側リング２０を一体的に回転して後方側端部２６の「Ｒ２」の目盛りに対して前側リング１９の「１５」の目盛りを合わせることにより、グリップ６の傾斜方向を上方から見て右側に設定することができる。即ち、リールシート本体８ａの軸方向後ろ側から見てグリップ６を右下方向へ１５度傾斜した状態に設定することができる。そして、使用者は「Ｒ２」と「１５」を覚えておくだけで、この状態をいつでも簡単かつ迅速に再現することが可能となる。
【００２５】
なお、前側リング１９と後側リング２０は上述のように１つの円筒部材を外周面側から斜めに切断して２つにしたものであるが、この切断角度を変更して作製した前側リング１９と後側リング２０を別途用意してもよい。切断角度を変更した前側リング１９と後側リング２０を用いることにより、グリップ６の傾斜角度を調整することが可能となる。
具体的には、上述のように本実施形態では１つの円筒部材を水平から７．５度斜めに切断してなる前側リング１９と後側リング２０を用いたことにより最大１５度のグリップ６の傾斜角度を達成している。そこで、例えば１つの円筒部材を水平から１０度斜めに切断してなる前側リング１９と後側リング２０を作製して用いることにより、最大２０度のグリップ６の傾斜角度を達成することができる。
【００２６】
リール装着部８のトリガー１６は、リールシート本体８ａと同様の金属製であり、図２（ｃ）に示すようにトリガー部２１と、トリガー部２１に一体的に形成されたトリガー支持部２２とからなる。
トリガー支持部２２は、前後方向へ延在する板状部材からなり、前後方向へ延びた細長い貫通口２２ａが形成されている。
【００２７】
リールシート本体８ａの下面には、図２（ｃ）に示すようにトリガー支持部２２を前後方向へスライド可能に保持する溝部２３が形成されている。溝部２３の底面には不図示のネジ穴が形成されており、ネジ２４をトリガー支持部２２の貫通口２２ａに通して当該ネジ穴に取り付けることにより、トリガー１６の前後方向位置を拘束することができる。この構成により、リールシート本体８ａに対するトリガー１６の前後方向位置を調整することができるため、使用者は自分の手の大きさ、指の長さ、リール３の寸法等に応じて、指のかけやすい位置にトリガー１６を設置することが可能となる。
【００２８】
リールシート本体８ａの溝部２３の底面には、トリガー１６の前後方向位置を示す目盛り２３ａが前後方向に沿って設けられている。具体的には溝部２３の底面に目盛り２３ａとしてスケールとともに「１」〜「５」の数字が刻印されている。このため使用者は、トリガー１６の前後方向位置を調整した後、溝部２３の目盛り２３ａからトリガー１６の位置を記憶しておくことができ、自分に好適なトリガー１６の位置をいつでも簡単かつ迅速に再現することが可能となる。
【００２９】
以上、本実施形態によれば、釣人が安定して握りやすいグリップ装置４とこれを備えた釣竿１を実現することができる。なお、本実施形態ではベイト用の釣竿１を一例として示しているが、本考案のグリップ装置４はこれに限られずスピニング用の釣竿等にも適用することが可能である。
【符号の説明】
【００３０】
１        釣竿
２        ロッド
３        リール
４        グリップ装置
５        リールシート
６        グリップ
７        ロッド装着部
８        リール装着部
８ａ      リールシート本体
９        グリップ装着部
１３      溝部
１６      トリガー
１７      円筒部
１８      ネジ
１９      前側リング
１９ａ    目盛り
２０      後側リング
２０ａ    目盛り
２３      溝部
２３ａ    目盛り
２４      ネジ
２６      リールシート本体の後方側端部
２６ａ    目盛り
【図１】
0003230440.tif 000003
【図２】
0003230440.tif 000004
【図３】
0003230440.tif 000005
【図４】
0003230440.tif 000006
【図５】
0003230440.tif 000007